(57)【要約】【課題】ランチャーアイコンにより所定のアプリケーションを起動するようにした情報処理装置では、アプリケーションの種類が多様化しているため、ランチャーアイコンがどのようなアプリケーションを起動するか直感的に把握しにくくなっている。【解決手段】ランチャーアイコンを表示する情報処理装置において、カラー画像メモリとモノトーン画像メモリを設け、表示するランチャーアイコンについてカラー画像とモノトーン画像をカラー画像メモリとモノトーン画像メモリにそれぞれ保存して、ランチャーアイコンを表示する際に、ランチャーアイコン選択手段で選択されているランチャーアイコンは情報量の多いカラー画像で、選択されていないランチャーアイコンは情報量の少ないモノトーン画像で表示した。カラー画像とモノトーン画像で区別したことにより、選択されているランチャーアイコンの視認性と識別性を向上した。【選択図】図３
2005063356.tif 000002
【特許請求の範囲】
【請求項１】
表示手段とランチャーアイコン選択手段とランチャーアイコン表示制御手段とを用いてランチャーアイコンを表示する機能を有する情報処理装置において、
カラー画像メモリとモノトーン画像メモリを設け、
表示するランチャーアイコンについてカラー画像とモノトーン画像を前記カラー画像メモリと前記モノトーン画像メモリにそれぞれ保存して、
前記表示手段にランチャーアイコンを表示する際に、前記アイコン選択手段で選択されているランチャーアイコンについてはカラー画像を表示し、選択されていないランチャーアイコンについてはモノトーン画像を表示するようにした情報処理装置。
【請求項２】
表示手段と画像付き電話帳データ選択手段と画像付き電話帳データ表示制御手段とを用いて複数の画像付き電話帳データを一覧表示する機能を有する情報処理装置において、
カラー画像メモリとモノトーン画像メモリを設け、
表示する画像付き電話帳データについてカラー画像とモノトーン画像を前記カラー画像メモリと前記モノトーン画像メモリにそれぞれ保存して、
前記表示手段に複数の画像付き電話帳データを一覧表示する際に、前記画像付き電話帳データ選択手段で選択されている画像についてはカラー画像を表示し、選択されていない画像についてはモノトーン画像を表示するようにした情報処理装置。
【請求項３】
表示手段と画像選択手段と画像表示制御手段とを用いて複数の画像をサムネイル表示する機能を有する情報処理装置において、
カラー画像メモリとモノトーン画像メモリを設け、
表示する画像についてカラー画像とモノトーン画像を前記カラー画像メモリと前記モノトーン画像メモリにそれぞれ保存して、
前記表示手段に複数の画像をサムネイル表示する際に、前記画像選択手段で選択されている画像についてはカラー画像を表示し、選択されていない画像についてはモノトーン画像を表示するようにした情報処理装置。
【請求項４】
表示手段と画像選択手段と画像表示制御手段とを用いて複数の画像を一覧表示する機能を有するインターネット接続機能付き情報処理装置において、
カラー画像メモリとモノトーン画像メモリを設け、
インターネットからダウンロードして表示する画像についてカラー画像とモノトーン画像を前記カラー画像メモリと前記モノトーン画像メモリにそれぞれ保存して、
前記表示手段にインターネットからダウンロードした画像を表示する際に、前記画像選択手段で選択されている画像についてはカラー画像を表示し、選択されていない画像についてはモノトーン画像を表示するようにしたインターネット接続機能付き情報処理装置。
【発明の詳細な説明】
【技術分野】
【０００１】
本発明は、ランチャー（起動）アイコンを用いてアプリケーションプログラム（以下、アプリケーションと略す）を起動するようにした携帯電話装置等の情報処理装置や、サムネイル表示機能を有するカメラ付き携帯電話装置等の情報処理装置、あるいはインターネット接続機能付き携帯電話装置等の情報処理装置に関する。
【背景技術】
【０００２】
従来から、アプリケーションを起動するランチャーアイコンを液晶表示装置等の表示手段にマトリックス状に複数表示し、キー入力手段等のランチャーアイコン選択手段でランチャーアイコンを選択して、ランチャーアイコンに対応するアプリケーションを起動するようにした携帯電話装置等の情報処理装置が実用化されている。これら従来の情報処理装置では、ランチャーアイコン選択手段で選択中のランチャーアイコンを他のランチャーアイコンと区別するために、周囲を太枠で囲ったり、文字を太くしたり、外形を大きくしたり、背景色を変えたりする等の方法が用いられていた（例えば特許文献１）。
【０００３】
しかし最近、ランチャーアイコンで起動するアプリケーションの種類が多様化しているため、従来、普通に用いられていた機能名称や簡単な図形のランチャーアイコンを見ただけではどのようなアプリケーションが起動されるのか分かりにくいという問題が生じている。そこで、表示手段を６．５万色程度のフルカラーを表示できるカラー液晶表示装置等を用いて、ランチャーアイコンの表示にカラー写真を用いる試みもされている。しかし、マトリックス状に配列したランチャーアイコンを全て一律にカラー写真で表示したときには、カラフルなわりには情報量が多すぎて、隣り合う他のランチャーアイコンと識別しにくく、ランチャーアイコン選択手段で選択中のランチャーアイコンがどれであるかさえ見分けにくくなって、逆に識別性と視認性を低下してしまうこともあった。
【特許文献１】特開２００１−７５７１１号公報（第１７頁、第３０図）
【発明の開示】
【発明が解決しようとする課題】
【０００４】
本発明は、ランチャーアイコンでアプリケーションを起動するようにした携帯電話装置等の情報処理装置において、ランチャーアイコン選択手段で選択中のランチャーアイコンだけを際だたせるようにして、他のランチャーアイコンと明確に識別でき視認性も向上するようにした情報処理装置を提供することを第一の目的としている。
【０００５】
また、本発明は、画像付き電話帳データを一覧表示する機能を持たせた電話装置等の情報処理装置において、一覧表示している画像付き電話帳データの内、選択手段で選択している画像付き電話帳データだけを際だたせるようにして、他の画像付き電話帳データと明確に識別できるようにした情報処理装置を提供することを第二の目的としている。
【０００６】
そして、本発明は、サムネイル表示を行うカメラ付き携帯電話装置等の情報処理装置において、サムネイル表示している複数の画像の内、選択手段で選択している画像だけを際だたせるようにして、他の画像と明確に識別できるようにした情報処理装置を提供することを第三の目的としている。
【０００７】
また、本発明は、インターネット接続機能付き携帯電話装置等の情報処理装置において、インターネットからダウンロードした画像を一覧表示する際に、選択手段で選択している画像だけを際だたせるようにして、他の画像と明確に識別できるようにした情報処理装置を提供することを第四の目的としている。
【課題を解決するための手段】
【０００８】
本発明は、表示手段とランチャーアイコン選択手段とランチャーアイコン表示制御手段とを用いてランチャーアイコンを表示する機能を有する情報処理装置において、カラー画像メモリとモノトーン画像メモリを設け、表示するランチャーアイコンについてカラー画像とモノトーン画像を前記カラー画像メモリとモノトーン画像メモリにそれぞれ保存して、表示手段にランチャーアイコンを表示する際に、ランチャーアイコン選択手段で選択されているランチャーアイコンについてはカラー画像を表示し、選択されていないランチャーアイコンについてはモノトーン画像を表示するようにしたことを最も主要な特徴とする。
【０００９】
また本発明は、表示手段と画像付き電話帳データ選択手段と画像付き電話帳データ表示制御手段とを用いて複数の画像付き電話帳データを一覧表示する機能を有する情報処理装置において、カラー画像メモリとモノトーン画像メモリを設け、表示する画像付き電話帳データについてカラー画像とモノトーン画像をカラー画像メモリとモノトーン画像メモリにそれぞれ保存して、表示手段に複数の画像付き電話帳データを一覧表示する際に、画像付き電話帳データ選択手段で選択されている画像についてはカラー画像を表示し、選択されていない画像についてはモノトーン画像を表示するようにしたことを主要な特徴とする。
【００１０】
更に本発明は、表示手段と画像選択手段と画像表示制御手段とを用いて複数の画像をサムネイル表示する機能を有する情報処理装置において、カラー画像メモリとモノトーン画像メモリを設け、表示する画像についてカラー画像とモノトーン画像をカラー画像メモリとモノトーン画像メモリにそれぞれ保存して、表示手段に複数の画像をサムネイル表示する際に、画像選択手段で選択されている画像についてはカラー画像を表示し、選択されていない画像についてはモノトーン画像を表示するようにしたことを主要な特徴とする。
【００１１】
そして本発明は、表示手段と画像選択手段と画像表示制御手段とを用いて複数の画像を一覧表示する機能を有するインターネット接続機能付き情報処理装置において、カラー画像メモリとモノトーン画像メモリを設け、インターネットからダウンロードして表示する画像についてカラー画像とモノトーン画像を前記カラー画像メモリと前記モノトーン画像メモリにそれぞれ保存して、表示手段にインターネットからダウンロードした画像を表示する際に、画像選択手段で選択されている画像についてはカラー画像を表示し、選択されていない画像についてはモノトーン画像を表示するようにしたことを主要な特徴とする。
【発明の効果】
【００１２】
本発明によれば、ランチャーアイコンでアプリケーションを起動するようにした携帯電話装置等の情報処理装置において、複数表示しているランチャーアイコンの内、ランチャーアイコン選択手段で選択中のランチャーアイコンだけをカラー画像で表示して際立たせたことにより視認性と識別性を向上して、他の選択されていないランチャーアイコンと明確に区別できるようにしている。またカラー画像表示により情報量を増やしたことにより、選択中のランチャーアイコンに対応するアプリケーションを直感的かつ容易に把握することを可能にしている。
【００１３】
また、本発明は、画像付き電話帳データを一覧表示する機能を持たせた電話装置等の情報処理装置において、一覧表示している画像付き電話帳データの内、選択手段で選択中の画像付き電話帳データだけをカラー画像で表示して際立たせたことにより視認性と識別性を向上して、他の選択されていない画像付き電話帳データと明確に区別できるようにしている。
【００１４】
そして、本発明によれば、サムネイル表示を行うカメラ付き携帯電話装置等の情報処理装置において、サムネイル表示している複数の画像の内、選択手段で選択中の画像だけをカラー画像で表示して際立たせたことにより視認性と識別性を向上して、他の選択されていない画像と明確に区別できるようにしている。
【００１５】
また、本発明は、インターネット接続機能付き携帯電話装置等の情報処理装置において、インターネットからダウンロードした画像を一覧表示する際に、選択手段で選択中の画像だけをカラー画像で表示して際立たせたことにより視認性と識別性を向上して、他の選択されていない画像と明確に区別できるようにしている。
【発明を実施するための最良の形態】
【００１６】
（実施の形態１）
本発明は、実施の形態１として表示手段とランチャーアイコン選択手段とランチャーアイコン表示制御手段とを用いてランチャーアイコンを表示する機能を有する情報処理装置において、カラー画像メモリとモノトーン画像メモリを設け、表示するランチャーアイコンについてカラー画像とモノトーン画像を前記カラー画像メモリとモノトーン画像メモリにそれぞれ保存して、表示手段にランチャーアイコンを表示する際に、ランチャーアイコン選択手段で選択されているランチャーアイコンについてはカラー画像を表示し、選択されていないランチャーアイコンについてはモノトーン画像を表示するようにしている。以下に実施例１を示して具体的に説明する。
【実施例１】
【００１７】
本発明の実施例１の携帯電話装置１００について、図１から図５を用いて説明する。図１に、本発明の実施例１の携帯電話装置１００の筐体を開いた状態の外観図を示す。携帯電話装置１００は、第一の筐体１０１と第二の筐体１０２をヒンジ１０３で連結して、第二の筐体１０２を開閉自在にした折り畳み式携帯電話装置として構成している。第一の筐体１０１の表面には、電話番号等を入力するテンキー１０４、ランチャーアイコンを選択するランチャーアイコン選択手段として機能する多方向キー１０５を設け、そして送話器として機能するマイクロフォン１０６を設けている。多方向キー１０５は図示のとおり、上ボタン、下ボタン、左ボタン、右ボタンと中央ボタンの５つに分かれており、上ボタン、下ボタン、左ボタン、右ボタンのいずれかを押すことによって、ランチャーアイコンの選択状態（特定のランチャーアイコンを選択しているという状態）を上、下、左、あるいは右に移動できるようにしている。また、特定のランチャーアイコンを選択しているときに、多方向キー１０５の中央ボタンを押すことによりランチャーアイコンに対応するアプリケーションを起動するようにしている。そして、第一の筐体１０１の側面には側面キー１０７を設けている。側面キー１０７は、所定時間、例えば１秒間長押しすることにより携帯電話装置１００の電源をオンにする電源スイッチとしての機能や、着信時に押すことにより通話を開始する通話開始キーの機能や、通話中に押すことにより通話を終了させる終話キーとしての機能を果たすようにしている。
【００１８】
また、第二の筐体１０２には、ランチャーアイコン１０９等をマトリックス状に配列して一覧表示する表示手段１０８を設けている。表示手段１０８には、６．５万色程度のフルカラーの液晶表示装置等を用いて、図１に示すように、表示手段１０８に三行三列の９個のランチャーアイコンについて、中央にあるランチャーアイコン１０９だけをカラー画像で表示し、他のランチャーアイコンを白黒または灰色等のモノトーン画像で表示している。そして、第二の筐体１０２には、受話器として機能するスピーカ１１０を設けている。
【００１９】
図２に、本発明の携帯電話装置１００の概略ブロック図を示す。図２では、第一の筐体１０１と第二の筐体１０２をそれぞれ破線の枠で示し、それぞれの筐体内に設けている手
段をブロックにして示している。第一の筐体１０１には、既に図１で説明した、テンキー１０４、ランチャーアイコン選択手段である多方向キー１０５、側面キー１０７があり、それぞれマイクロコンピュータ等で形成する全体制御手段１１３に接続して、テンキー１０４による電話番号等の数字の入力や、多方向キー１０５による上下左右方向の移動動作の入力や、側面キー１０７による電源オンオフや通話開始、終話のための入力を行えるようにしている。また、携帯電話装置１００の全体的な動作を制御するためのプログラムやランチャーアイコンで起動するアプリケーションや、電話番号などの電話帳データ等の各種データを記憶しておく記憶手段１１４と、ランチャーアイコンのカラー画像を記憶するカラー画像メモリ１１５と、ランチャーアイコンのモノトーン画像を記憶するモノトーン画像メモリ１１６を全体制御手段１１３に接続している。全体制御手段１１３は、記憶した画像データを読み出したり、新しいデータを記憶したりできるようにしている。
【００２０】
そして、第一の筐体１０１には、無線制御手段１１７を設け全体制御手段１１３の全体的な制御のもと、受信部１１８と送信部１１９とアンテナ１２０を用いて図示していない携帯電話網の基地局を介して他の携帯電話装置と無線通信できるようにしている。すなわち、送話器として機能するマイクロフォン１０６から入力された通話者の音声は、音声処理部１２１でデジタル信号に変換して、無線制御手段１１７、送信部１１９、アンテナ１２０を介して送信される。また、アンテナ１２０、受信部１１８で受信した相手の音声信号は、音声処理部１２１でアナログ信号に変換して、受話器として機能するスピーカ１１０から音声として出力される。また、第一の筐体１０１には、第二の筐体１０２の開閉状態を検出する開閉検出手段１２２を設けていて全体制御手段１１３に接続している。開閉検出手段１２２はホール素子等を用いて、第二の筐体１０２に埋め込んだ永久磁石が接近したことを検出して全体制御手段１１３に開閉状態を示す信号を送るようにしている。
【００２１】
第二の筐体１０２には、図１で説明したカラー液晶表示装置等からなる表示部１０８があり、全体制御手段１１３には、ドライバー回路１２３を介して接続している。全体制御手段１１３とドライバー回路１２３がランチャーアイコン表示制御手段を形成していて、全体制御手段１１３は、前述した記憶手段１１４、カラー画像メモリ１１５、モノトーン画像メモリ１１６から画像情報を読みだして、ドライバー回路１２３により表示部１０８にランチャーアイコンを表示するようにしている。
【００２２】
なお、第二の筐体１０２には画像処理手段１２４を特に設けているが、この画像処理手段１２４は、全体制御手段１１３がカラー画像メモリ１１５から読みだしたカラー画像データからモノトーン画像データを作り出す手段であり、当初ランチャーアイコンの画像がカラー画像しか記憶されていなかったときには、全体制御手段１１３の制御により、画像処理手段１２４がカラー画像からモノトーン画像を作り出してモノトーン画像メモリ１１６に記憶しておくことができる。
【００２３】
図３に、本発明の携帯電話装置１００のランチャーアイコンの表示に関する制御動作をフローチャートとして示す。図３において、携帯電話装置１００の側面キー１０７を長押しして電源を入れると（ステップＳ１）、携帯電話装置１００は全体制御手段１１３が無線制御手段１１７を駆動して図示しない携帯電話網の基地局と制御信号を間欠送受信して、いわゆる着信待ち受け状態になる（ステップＳ２）。ステップＳ２の着信待ち受け状態で第二の筐体１０２が開くと（ステップＳ３）、全体制御手段１１３は、カラー画像メモリ１１５から表示部１０８の中央に表示するランチャーアイコン１０９のカラー画像を読みだし、モノトーン画像メモリ１１６から他のランチャーアイコンのモノトーン画像を読みだして図１で示したように、表示部１０８に三行三列のマトリックス状に一覧表示する（ステップＳ４）。なお、ステップ４の表示状態は、初期状態として、多方向キー１０５が中央のランチャーアイコン１０９を選択中であることにしている。その後、多方向キー１０５から選択中のランチャーアイコンを他のランチャーアイコンに移す信号が入力され
ると（ステップＳ５）、新たに選択中となったランチャーアイコンについてモノトーン画像をカラー画像に差し替える。そして、それまでカラー画像で表示されていたランチャーアイコンをモノトーン画像に差し替える（ステップＳ６）。
【００２４】
すなわち、着信待ち受け状態で第二の筐体１０２が開いた初期状態では、図４に表示部１０８の状態を例示するように、中央のランチャーアイコン１０９がカラー画像で表示され、他のランチャーアイコンが白黒、灰色又はネピア色等のモノトーン画像で表示されている。それが、多方向キー１０５により、例えば中央のランチャーアイコン１０９の上のランチャーアイコンに選択状態を移す信号が入力されると、図５のように最上段中央のランチャーアイコン１２５がカラー画像に差し替えられ、ランチャーアイコン１０９がモノトーン画像に差し替えられる。ちなみに、ランチャーアイコン１０９は、携帯電話装置１００の動作条件設定のアプリケーションを起動するランチャーアイコンであり、ランチャーアイコン１２５は、インターネット接続動作を開始するアプリケーションを起動するランチャーアイコンにしている。
【００２５】
その後、多方向キー１０５よりランチャーアイコンの選択作業を終了する信号が入力されると（ステップＳ７）、ステップ２の着信待ち受け状態に戻る。なお、多方向キー１０５よりランチャーアイコンの選択作業を終了する信号が入力されずに、ランチャーアイコンの選択状態を他のランチャーアイコンに移す信号が入力されると（ステップＳ５）、移動先のランチャーアイコンをカラー画像に差し替える動作が行われる（ステップＳ６）。
【００２６】
このように、本発明の実施例１の携帯電話装置１００によれば、着信待ち受け状態で第二の筐体１０２を開くと、ランチャーアイコン表示の初期状態として、中央のランチャーアイコン１０９だけをカラー画像で表示し、他のランチャーアイコンをモノトーン画像で表示する。そして、多方向キー１０５を用いてランチャーアイコンの選択状態を他のランチャーアイコンに移すと、移動先のランチャーアイコンだけをカラー画像で表示することができ、多方向キー１０５で選択中のランチャーアイコンだけをいつも際立たせることができ視認性と識別性を向上することができる。また、多方向キー１０５が選択中のランチャーアイコンだけを情報量の多いカラー画像で表示するので、選択中のランチャーアイコンに対応するアプリケーションに関する情報を直感的にかつ容易に把握できるという効果がある。
【００２７】
なお、上記実施例１では、記憶手段１１４と、カラー画像メモリ１１５と、モノトーン画像メモリ１１６をそれぞれ独立したメモリとして説明したが、携帯電話装置を製造する上において、それらを組み合わせて一体に形成しても良い。また、上記の説明では、説明を分かりやすくするためにカラー画像で表示しない他の選択中でないランチャーアイコンをモノトーン画像で表示すると説明したが、モノトーン画像としては白黒、灰色の他にネピア色やうすい青色やピンク色の単色表示であってもよい。
【００２８】
（実施の形態２）
次に、本発明の実施の形態２を説明する。本発明の実施の形態２は、画像付き電話帳データを実施の形態１で説明したランチャーアイコンとして用いている。すなわち、実施の形態２の情報処理装置は、表示手段と画像付き電話帳データ選択手段と画像付き電話帳データ表示制御手段とを用いて複数の画像付き電話帳データを一覧表示する機能を有する情報処理装置において、カラー画像メモリとモノトーン画像メモリを設け、表示する画像付き電話帳データについてカラー画像とモノトーン画像をカラー画像メモリと前記モノトーン画像メモリにそれぞれ保存して、表示手段に複数の画像付き電話帳データを一覧表示する際に、画像付き電話帳データ選択手段で選択されている画像についてはカラー画像を表示し、選択されていない画像についてはモノトーン画像を表示するようにしている。以下に実施例２を示して具体的に説明する。
【実施例２】
【００２９】
本発明の実施例２の携帯電話装置２００について図６と図７を用いて説明する。実施例２の携帯電話装置２００は、複数の画像付き電話帳データを一覧表示するときに、一つの画像付き電話帳データだけをカラー画像で表示し、他の画像付き電話帳データについてはモノトーン画像で表示するようにしている。なお、携帯電話装置２００の外観と各種機能ブロックの構成は、既に説明した実施例１の携帯電話装置１００と基本的に同じなので記載を省略するが、特に、カラー画像メモリ１１５とモノトーン画像メモリ１１６には、電話番号に対応する者の顔写真等のカラー画像とモノトーン画像がそれぞれ記憶されており、記憶手段１１４には、画像付き電話帳データとして、電話番号と対応する氏名・名称のデータと、電話番号に対応するカラー画像とモノトーン画像がそれぞれ記憶されているカラー画像メモリ１１５とモノトーン画像メモリ１１６内のアドレスが一組の電話帳データとして記憶してある。
【００３０】
図６に携帯電話装置２００の電話帳データを表示する際の制御動作をフローチャートとして示す。図６で、携帯電話装置２００に電源がオンされると（ステップＳ１）、着信待ち受け状態になる（ステップＳ２）。着信待ち受け状態で第二の筐体１０２が開くとランチャーアイコンが表示されるので、多方向キー１０５により電話帳表示のランチャーアイコンを選択して中央ボタンを押して、電話帳表示のアプリケーションを起動する（ステップＳ８）。すると、図７のように最上段の電話番号に対応する顔写真２０１をカラー画像メモリ１１５から読みだし、他の電話番号に対応する顔写真２０２、２０３をモノトーン画像メモリ１１６から読みだして、画像付き電話帳データを表示部１０８に一覧表示する（ステップＳ９）。その状態で、多方向キー１０５により、画像付き電話帳データの選択状態を一つ下の画像付き電話帳データ２０２に移すと（ステップＳ１０）、図８のように移動した先の画像付き電話帳データ２０２の顔写真をカラー画像と差し替え、元々カラー画像で表示していた電話帳データ２０１の顔写真をモノトーン画像に差し替える（ステップＳ１１）。
【００３１】
なお、多方向キー１０５を一方向に連続して移動しているときは、画像付き電話帳データの画像をカラー画像やモノトーン画像に差し替える動作を行わず、画像付き電話帳データの選択状態の移動が停止したときにカラー画像とモノトーン画像の差し替え動作を行って、無駄になるカラー画像とモノトーン画像の差し替え動作をしないようにしている。いずれかの画像付き電話帳データを選択している状態で、側面キー１０７を押すと、画像をカラー画像で表示している電話番号に対して発呼することができる。
【００３２】
このように、本発明の実施例２の携帯電話装置２００では、多方向キー１０５を用いて画像付き電話帳データを選択すると、選択中の電話帳データの顔画像がカラー画像で表示される。一つの顔画像だけがカラー画像で表示され際立つので視認性と識別性が向上し、選択中の電話帳データの顔写真が見やすいという効果が得られる。
【００３３】
なお、実施例２の携帯電話装置２００は、画像付き電話帳データをランチャーアイコンとして扱い、複数の画像付き電話帳データを一覧表示した中から特定の画像付き電話帳データを選択して、その電話番号に自動発呼するアプリケーションを起動するようにしたということもできる。
【００３４】
（実施の形態３）
次に、本発明の実施の形態３について説明する。本発明の実施の形態３は、サムネイル表示した画像をランチャーアイコンとして用いている。すなわち、表示手段と画像選択手段と画像表示制御手段とを用いて複数の画像をサムネイル表示する機能を有する情報処理装置において、カラー画像メモリとモノトーン画像メモリを設け、表示する画像について
カラー画像とモノトーン画像をカラー画像メモリとモノトーン画像メモリにそれぞれ保存して、表示手段に複数の画像をサムネイル表示する際に、画像選択手段で選択されている画像についてはカラー画像を表示し、選択されていない画像についてはモノトーン画像を表示するようにしている。以下に実施例３を示して具体的に説明する。
【実施例３】
【００３５】
本発明の実施例３の携帯電話装置３００について、図９から図１４を用いて説明する。実施例３の携帯電話装置３００は、第二の筐体１０２の表裏にそれぞれ一つづつのカメラを設けたカメラ付き携帯電話装置として構成している。携帯電話装置３００は、カメラで撮影した画像をカラー画像メモリ１１５とモノトーン画像メモリ１１６にそれぞれ記憶するとともに、記憶したカラー画像とモノトーン画像を読み出して表示部１０８にサムネイル表示するようにしている。
【００３６】
図９に、携帯電話装置３００の第二の筐体１０２を開いた状態の外観図を示す。基本的な構成は、既に図１で説明した実施例１の構成と同じなので、同じ部分については、同じ番号を付して、説明を省略する。図９において、第二の筐体１０２の内側には第一のカメラ３０１が、外側には第二のカメラ３０２が設けてある。側面キー１０７は、既に実施例１や実施例２で説明した電源スイッチの機能と、通話開始キーの機能と、終話キーの機能と、発呼機能の他に、第一のカメラ３０１と第二のカメラ３０２を切り替える切り替えスイッチの機能と、シャッターボタンの機能を果たすようにしている。図９では、表示部１０８に既に撮影した９人の顔写真をサムネイル表示している状態を示している。なお、図９では、表示部１０８の最上段左の画像３１１だけをカラー画像で表示し、他の画像をモノトーン画像で表示している。
【００３７】
図１０に、携帯電話装置３００のブロック図を示す。基本的な構成は、図２で既に説明した実施例１の構成と同じであるが、第二の筐体１０２に第一のカメラ３０１と第二のカメラ３０２を設けていて、第一のカメラ３０１と第二のカメラ３０２を撮影画像処理手段１２６を介して全体制御手段１１３に接続している点が異なっている。第一のカメラ３０１と第二のカメラ３０２については、側面キー１０７によりいずれか一方のカメラを選択して、同じく側面キー１０７をシャツターボタンとして押すことにより、任意に写真を撮影し、撮影した画像をカラー画像メモリ１１５とモノトーン画像メモリ１１６にそれぞれ記憶するようにしている。もちろん、後で全体制御手段１１３が記憶した画像を読み出して表示手段１０８に表示するようにしている。
【００３８】
図１１に、本発明の携帯電話装置３００の撮影時の制御動作をフローチャートとして示す。すなわち、携帯電話装置３００の側面キー１０７を長押しして電源を入れると（ステップＳ１）、着信待ち受け状態になる（ステップＳ２）。着信待ち受け状態で第二の筐体１０２が開くとランチャーアイコンが表示されるので、多方向キー１０５により写真撮影のランチャーアイコンを選択して中央ボタンを押して、写真撮影のアプリケーションを起動した後、側面キー１０７を押して写真撮影を行う（ステップＳ１３）。撮影した画像は予め記憶方法が特定されていなければ（ステップＳ１４）、カラー画像メモリ１１５にカラー画像を記憶すると同時にモノトーン画像メモリ１１６にモノトーン画像を記憶する（ステップＳ１５）。
【００３９】
その後、多方向キー１０５で、写真撮影を終了する信号が入力がされると（ステップＳ１６）、制御動作はステップＳ２の着信待ち受け状態に戻る。写真撮影を終了する信号が入力がされずに、シャッターボタンとして機能する側面キー１０７が押されると、新たな撮影を行い（ステップＳ１３）、撮影した画像をカラー画像メモリ１１５とモノトーン画像メモリ１１６にそれぞれ記憶する。
【００４０】
なお本発明の携帯電話装置３００では、撮影した画像の記憶方法として、カラー画像メモリ１１５にカラー画像を記憶するだけにするか、モノトーン画像メモリ１１６にモノトーン画像を記憶するだけにするかを予め設定しておくことができるようにしている。撮影した画像の記憶方法を予め設定しておいた場合には、ステップＳ１４の後に、ステップＳ１７あるいはステップＳ１８のように動作を推移する。但し、この場合はサムネイル表示される画像は全てカラー画像か全てモノトーン画像で表示されることになる。
【００４１】
図１２に、撮影した画像をサムネイル表示するときの制御動作をフローチャートとして示す。本発明の携帯電話装置３００の電源がオンして（ステップＳ１）、着信待ち受け状態で（ステップＳ２）、多方向キー１０５により、撮影した写真をサムネイル表示するランチャーアイコンが選択されてアプリケーションが起動されると（ステップＳ１９）、全体制御手段１１３は、第一番目のサムネイル画像３１１をカラー画像メモリ１１５から読み出し、それに続くサムネイル画像３１２、３１３等をモノトーン画像メモリ１１６から読み出して表示する（ステップＳ２０）。図１３は、ステップＳ２０で画像を読みだして表示部１０８にサムネイル表示した画面を示している。図１３で表示部１０８の最上段左側の画像３１１をカラー画像で表示し、他の画像３１２、３１３等をモノトーン画像で表示している。
【００４２】
そして、多方向キー１０５によりサムネイル表示した画像の選択状態を移すと（ステップＳ２１）、移動した先の画像に対応するカラー画像をカラー画像メモリ１１６から読みだして、モノトーン画像をカラー画像に差し替えて表示する（ステップＳ２２）。図１４は、多方向キー１０５による画像の選択状態を、画像３１１から右隣りの画像３１２に移動したときの表示部１０８の表示状態を示す。図１４では、最上段左から２番目の画像３１２がモノトーン画像からカラー画像に差し替えられ、最上段左の画像３１１がカラー画像からモノトーン画像に差し替えられている。このように、本発明の携帯電話装置３００では、サムネイル表示する際に、一つの画像だけを情報量の多いカラー表示をして、他の画像については情報量の少ないモノトーン画像を読みだして表示するようにしているので、多方向キー１０５で選択中の画像だけが際だち視認性と識別性が向上し、他の画像と容易に区別されることになる。全ての画像をカラー画像でサムネイル表示をするには読み出しと表示に時間がかかるが、本発明の携帯電話装置３００では、一つの画像だけをカラー画像で表示するので、読み出しと表示が短時間に迅速にできるという効果がある。また、サムネイル表示しているときに、多方向キー１０５の中央ボタンを押すことにより、選択中の画像を表示部１０８の画面一杯に拡大表示するようにしておけば、サムネイルで表示している画像を、拡大表示動作を行うアプリケーションを起動するランチャーアイコンとして使うことができる。
【００４３】
（実施の形態４）
次に本発明の実施の形態４について説明する。実施の形態４は、インターネット接続機能付き情報処理装置において、カラー画像メモリとモノトーン画像メモリを設け、インターネットからダウンロードして表示する画像についてカラー画像とモノトーン画像をカラー画像メモリとモノトーン画像メモリにそれぞれ保存して、表示手段にインターネットからダウンロードした画像を表示する際に、画像選択手段で選択されている画像についてはカラー画像を表示し、選択されていない画像についてはモノトーン画像を表示するようにしている。以下に実施例４を示して具体的に説明する。
【実施例４】
【００４４】
本発明の実施例４の携帯電話装置４００について説明する。実施例４の携帯電話装置４００は、インターネット接続機能を付加した携帯電話装置である。図１５に携帯電話装置４００を用いた電子商取引のシステム図を示す。図１５において、携帯電話装置４００は、無線により最寄りの携帯電話基地局４０１、携帯電話網４０２、ゲートウェイ４０３、
インターネット４０４を経由して、電子商取引サーバ４０５にアクセスすることができる。そして、携帯電話装置４００は電子商取引サーバ４０５内のカタログ配信サーバ４０６から商品カタログ情報をダウンロードすることができる。ここで、ダウンロードできる商品カタログ情報としては、商品名、商品見本の写真、価格、配達予定日等の電子商取引に必要な情報がある。商品見本の写真は、希望によりカラー画像とモノトーン画像の両方または片方だけを指定してダウンロードできるようになっているとして、ここではカラー画像、モノトーン画像の両方をダウンロードしたとして説明する。
【００４５】
携帯電話装置４００はカタログ配信サーバ４０６からダウンロードした商品カタログ情報を、表示部１０８に表示して、欲しい商品を選択して選択結果を注文情報として電子商取引サーバ４０５に送信して電子注文等の商取引を行うことができる。図１６に、携帯電話装置４００で電子商取引を行う際の動作をフローチャートとして示す。携帯電話装置４００に電源を入れると（ステップＳ１）、着信待ち受け状態になる（ステップＳ２）。着信待ち受け状態で第二の筐体１０２が開くとランチャーアイコンがマトリックス状に表示されるので、インターネット接続動作を起動させ、多方向キー１０５を用いて、電子商取引サーバ４０５にアクセスし、カタログ配信サーバ４０６から、商品カタログ情報をダウンロードする。このときに、カタログ配信サーバ４０６から商品見本の写真についてはカラー画像とモノトーン画像の各データを取り込み、携帯電話装置４００のカラー画像メモリ１１５、モノトーン画像メモリ１１６にそれぞれ記憶する（ステップＳ２４）。携帯電話装置４００は、ダウンロードした商品カタログ情報を一覧表示するが、一つの商品見本の写真だけをカラー画像で表示し、他の商品見本の写真をモノトーン画像で表示する（ステップＳ２５）。図１７に携帯電話装置４００の表示部１０８に商品カタログの一部を一覧表示したときの外観図を示す。図１７では、バナナ、なし、りんごという果実の写真が表示されるが、最上段左のバナナの写真４１１だけが、多方向キー１０５で選択されている状態にあるとして、カラー画像で表示されている。
【００４６】
その後、多方向キー１０５により選択状態を他の画像４１２に移す信号が入力されると（ステップＳ２６）、画像４１２はモノトーン画像からカラー画像に差し替えられ、それまでカラー画像で表示されていた商品見本の画像４１１は、モノトーン画像に差し替えられる（ステップＳ２７）。その後、ステップ２８で、多方向キー１０５より商取引終了の信号が入力されると、商取引を終え、再び着信待ち受け状態に戻る（ステップＳ２）。なお、ステップ２８で、商取引終了の信号が入力されることなく、多方向キー１０５の選択状態を他の画像に移す信号が入力されると（ステップＳ２６）、移動した先の商品見本の画像をモノトーン画像からカラー画像に差し替える（ステップＳ２７）。
【００４７】
なお、実施例４では、カタログ配信サーバ４０６からカラー画像とモノトーン画像をダウンロードする構成を示したが、カタログ配信サーバ４０６からカラー画像しかダウンロードしてないときは、携帯電話装置４００の全体制御手段１１３が、図２で示した画像処理手段１２４を用いることにより、カラー画像からモノトーン画像を生成して、モノトーン画像メモリ１１６に保存するようにしても良い。
【００４８】
このように、本発明の実施例４の携帯電話装置４００では、商品カタログの商品見本の写真を迅速に表示することができる。また、一つの商品見本の画像がカラー画像で表示され、他の商品見本の画像がモノトーン画像で表示されるため、多方向キー１０５で選択している商品見本が際だって視認性と識別性が向上し、識別しやすく商取引しようとしている商品を間違わないという効果が得られる。商品カタログを一覧表示しているときに、問い合わせ信号を電子商取引サーバ４０５に自動送信するようにしておけば、一覧表示している商品見本の画像を問い合わせ信号の自動送信アプリケーションを起動するランチャーアイコンとして利用することができる。
【００４９】
以上説明したように、本発明によればランチャーアイコン、画像付き電話帳データ、写真、商品見本の画像等について、一覧表示する際に、一つの画像だけをカラー画像で表示し、多の画像をモノトーン画像で表示し、多方向キー１０５の選択状態を移動することにより、移動した先の画像をカラー画像に差し替え表示して、選択中の画像を際だたせて視認性と識別性を向上し、他の画像と明確に識別できるようにしている。
【００５０】
なお、上記実施例１から実施例４の説明ではカラー画像で示さない画像をモノトーン画像として表示すると説明したが、白色と黒色に灰色を含ませても良いし、他にセピア色やブルー、ピンクの他の色を用いたモノトーン画像による表示にしてもよい。
【産業上の利用可能性】
【００５１】
本発明は、ランチャーアイコンを用いてアプリケーションを起動する携帯電話装置以外に、同じくランチャーアイコンを用いたディジタルカメラ、パーソナルコンピュータ、ＰＤＡ（Ｐｅｒｓｏｎａｌ  Ｄｉｇｉｔａｌ  Ａｓｓｉｓｔａｎｃｅ）その他の情報処理装置に適用することができる。
【００５２】
また、画像付き電話帳データをランチャーアイコンとして用いた情報処理装置としては、携帯電話装置の他に、電子手帳、電子電話帳、ＰＤＡなどに適用することができる。
【００５３】
また、サムネイル表示機能を有する情報処理装置としては、携帯電話装置以外に同じくサムネイル表示機能を有するディジタルカメラ、パーソナルコンピュータ、フアクシミリその他の情報処理装置に適用することができる。
【００５４】
また本発明は、インターネット接続機能を有する情報処理装置として、携帯電話装置以外にパーソナルコンピュータ、ＰＤＡその他の情報処理装置に適用することができる。
【図面の簡単な説明】
【００５５】
【図１】本発明の実施例１の携帯電話装置の外観図
【図２】本発明の実施例１の携帯電話装置のブロック図
【図３】本発明の実施例１の携帯電話装置の制御動作を示すフローチャート
【図４】本発明の実施例１の携帯電話装置の表示部の表示状態を示す遷移図
【図５】本発明の実施例１の携帯電話装置の表示部の表示状態を示す遷移図
【図６】本発明の実施例２の携帯電話装置の制御動作を示すフローチャート
【図７】本発明の実施例２の携帯電話装置の表示部の表示状態を示す遷移図
【図８】本発明の実施例２の携帯電話装置の表示部の表示状態を示す遷移図
【図９】本発明の実施例３の携帯電話装置の外観図
【図１０】本発明の実施例３の携帯電話装置のブロック図
【図１１】本発明の実施例３の携帯電話装置の制御動作を示すフローチャート
【図１２】本発明の実施例３の携帯電話装置の制御動作を示すフローチャート
【図１３】本発明の実施例３の携帯電話装置の表示部の表示状態を示す遷移図
【図１４】本発明の実施例３の携帯電話装置の表示部の表示状態を示す遷移図
【図１５】本発明の実施例４の携帯電話装置を用いたシステム図
【図１６】本発明の実施例４の携帯電話装置の制御動作を示すフローチャート
【図１７】本発明の実施例４の携帯電話装置の外観図
【符号の説明】
【００５６】
１０１  第一の筐体
１０２  第二の筐体
１０３  ヒンジ
１０５  多方向キー
１０８  表示部
１０９  ランチャーアイコン
１１４  記憶手段
１１５  カラー画像メモリ
１１６  モノトーン画像メモリ
２０１  画像付き電話帳データ
３０１  第一のカメラ
３０２  第二のカメラ
４０５  電子商取引サーバ
４０６  カタログ配信サーバ
【図２】
2005063356.tif 000003
【図６】
2005063356.tif 000004
【図８】
2005063356.tif 000005
【図９】
2005063356.tif 000006
【図１３】
2005063356.tif 000007
【図１４】
2005063356.tif 000008
【図１５】
2005063356.tif 000009
【図１６】
2005063356.tif 000010
【図１７】
2005063356.tif 000011
【図１】
2005063356.tif 000012
【図３】
2005063356.tif 000013
【図４】
2005063356.tif 000014
【図５】
2005063356.tif 000015
【図７】
2005063356.tif 000016
【図１０】
2005063356.tif 000017
【図１１】
2005063356.tif 000018
【図１２】
2005063356.tif 000019